(57)【要約】【課題】一体的かつ小形の処方箋受付装置を実現する。【解決手段】筐体１０に処方箋差込口１７ｂと処方箋取出口１２ａと後方取出口１４ａとパネル用開口１７ｅと引換券取出口１７ｄを形成し、スキャナ付きプリンタ２２と操作パネル一体形コンピュータ２３と引換券発行ユニット２４を筐体１０に格納し、開状態で排紙案内を行う開閉板１６を処方箋取出口１２ａに付設し、スキャナ付きプリンタ２２から前方へ排出された処方箋を反転させてからスキャナ付きプリンタ２２の下を通過させて後方取出口１４ａへ移送しうる空間を筐体１０の内底に確保し、そこに引出可能な受箱２１を差し込み、筐体１０のうち上部を開閉可能な蓋１７にする。【選択図】        図１
2008033580.tif 000002
【特許請求の範囲】
【請求項１】
処方箋の撮像を行う処方箋走査部と、その画像イメージから処方箋データを得るデータ処理部とを備えた処方箋受付装置において、前記処方箋走査部と前記データ処理部との双方を格納しうる筐体が設けられ、前記処方箋走査部が前記処方箋を上部後方から受け入れて前方へ排出するものであり、前記筐体のうち上部後方部位には処方箋差込口が形成され、前記筐体のうち前面には処方箋取出口が形成され、前記筐体のうち上部前方部分は傾斜していて該部位にはパネル用開口が形成され、前記パネル用開口には前記データ処理部の操作パネルが装着されていることを特徴とする処方箋受付装置。
【請求項２】
引換券発行ユニットが前記処方箋走査部の右脇または左脇に位置して前記筐体に格納され、前記筐体における上部前方の傾斜部分のうち前記パネル用開口の脇の部位には引換券取出口が形成されていることを特徴とする請求項１記載の処方箋受付装置。
【請求項３】
前記処方箋走査部は、前記処方箋を受け入れたとき、それを本体内の移送路に送り込みながら前記処方箋に対して撮像を行うとともに印刷データの調製および印刷を行い、それから前記処方箋を排出するものであることを特徴とする請求項２記載の処方箋受付装置。
【請求項４】
前記処方箋走査部は、処方箋受入の度に受付番号を更新して前記印刷データに含めるとともに、その印刷データを前記データ処理部へ送信するものであり、前記データ処理部は、前記処方箋走査部から受信した印刷データを前記引換券発行ユニットへ送信するものであり、前記引換券発行ユニットは前記データ処理部から受信した印刷データを引換券の印刷に用いるようになっていることを特徴とする請求項３記載の処方箋受付装置。
【請求項５】
開状態で排紙案内を行う開閉板が前記処方箋取出口に付設されていることを特徴とする請求項１乃至請求項４に記載された処方箋受付装置。
【請求項６】
前記処方箋走査部の取付台が前記筐体の内底に設けられ、前記筐体のうち背面には後方取出口が形成され、前記処方箋走査部から前方へ排出された前記処方箋を反転させてから前記処方箋走査部の下を通過させて前記後方取出口へ移送しうる空間が前記筐体の内底に確保されていることを特徴とする請求項５記載の処方箋受付装置。
【請求項７】
前記処方箋走査部から前方へ排出された前記処方箋を反転させて前記処方箋走査部の下へ向けて案内する排紙反転部材が着脱可能な状態で前記筐体内に設けられていることを特徴とする請求項６記載の処方箋受付装置。
【請求項８】
前記排紙反転部材にて反転させられた前記処方箋を収容する受箱が前記後方取出口から引出可能な状態で前記筐体の内底に格納されていることを特徴とする請求項７記載の処方箋受付装置。
【請求項９】
前記排紙反転部材にて反転させられた前記処方箋を前記後方取出口へ移送する搬送機構が前記筐体に内装されていることを特徴とする請求項７記載の処方箋受付装置。
【請求項１０】
前記筐体のうち上部が開閉可能な蓋になっていることを特徴とする請求項１乃至請求項９の何れかに記載された処方箋受付装置。
【発明の詳細な説明】
【技術分野】
【０００１】
この発明は、薬局や病院などで処方箋の自動受付に用いられる処方箋受付装置に関し、詳しくは、処方箋の撮像を行うとともに処方箋の記載情報を電子データにして処理する処方箋受付装置に関する。
【背景技術】
【０００２】
処方箋の受付作業の自動化や省力化等のために、従来より各種の処方箋受付装置が提案されており、最近は、処方箋走査部とデータ処理部とを具えた処方箋受付装置が普及しつつある。かかる処方箋受付装置では、処方箋走査部で処方箋の撮像が行われ、データ処理部で画像イメージから処方箋データが得られるようになっている。詳述すると、データ処理部には所謂デスクトップパソコンやノートパソコンなどの汎用コンピュータが採用されることが多く、その場合、処方箋走査部がデータ処理部とは別体に纏められ、処方箋走査部とデータ処理部はケーブルで接続されていた（例えば特許文献１参照）。
【０００３】
また、処方箋走査部は、差込口に処方箋が投入されるとそれを移送路へ送り込みながら処方箋の撮像を行うスキャナと、移送路に臨んで設けられ処方箋に受付番号を印刷するプリントヘッドと、処方箋を受け付けた代わりに引換券を発行する引換券発行ユニットと、操作スイッチや状態表示部材を配設した操作パネルと、それらの動作制御を行うローカルコントローラとを具えていて、スキャナで撮った画像イメージを受付番号と共にケーブル経由でデータ処理部へデータ送信するようになっていた。
【０００４】
【特許文献１】特開２００６−１２００２０号公報
【発明の開示】
【発明が解決しようとする課題】
【０００５】
このような従来の処方箋受付装置は、薬局等に装置するとき、受付カウンタ等に処方箋走査部が載置され、作業机などにデータ処理部が載置される。
しかしながら、薬局等の装置設置先で処方箋走査部載置箇所とデータ処理部載置箇所とが別々に確保できるとは限らない。このため、処方箋走査部とデータ処理部とを一つの筐体に格納して一体的に纏めることが要請される。また、各部の載置箇所の個別確保が可能な場合でも、装置占有面積の削減やケーブル配線等の隠蔽が要求されるので、処方箋受付装置の小形化が望まれる。
そこで、一体的かつ小形の処方箋受付装置を実現することが技術的な課題となる。
【課題を解決するための手段】
【０００６】
本発明の処方箋受付装置は（解決手段１）、このような課題を解決するために創案されたものであり、処方箋の撮像を行う処方箋走査部と、その画像イメージから処方箋データを得るデータ処理部とを備えた処方箋受付装置において、前記処方箋走査部と前記データ処理部との双方を格納しうる筐体が設けられ、前記処方箋走査部が前記処方箋を上部後方から受け入れて前方へ排出するものであり、前記筐体のうち上部後方部位には処方箋差込口が形成され、前記筐体のうち前面には処方箋取出口が形成され、前記筐体のうち上部前方部分は傾斜していて該部位にはパネル用開口が形成され、前記パネル用開口には前記データ処理部の操作パネルが装着されていることを特徴とする（出願当初請求項１）。引換券発行ユニットも備えている場合には（出願当初請求項２）、その引換券発行ユニットが前記処方箋走査部の右脇または左脇に位置して前記筐体に格納され、前記筐体における上部前方の傾斜部分のうち前記パネル用開口の脇の部位には引換券取出口が形成される。
【０００７】
また、本発明の処方箋受付装置は（解決手段２）、上記解決手段１の処方箋受付装置であって、前記処方箋走査部は、前記処方箋を受け入れたとき、それを本体内の移送路に送り込みながら前記処方箋に対して撮像を行うとともに印刷データの調製および印刷を行い、それから前記処方箋を排出するものであることを特徴とする（出願当初請求項３）。さらに、前記処方箋走査部は、処方箋受入の度に受付番号を更新して前記印刷データに含めるとともに、その印刷データを前記データ処理部へ送信するものであり、前記データ処理部は、前記処方箋走査部から受信した印刷データの総て又は一部を前記引換券発行ユニットへ送信するものであり、前記引換券発行ユニットは前記データ処理部から受信した印刷データの総て又は一部を引換券の印刷に用いるようになっていることを特徴とする（出願当初請求項４）。
【０００８】
また、本発明の処方箋受付装置は（解決手段３）、上記解決手段１，２の処方箋受付装置であって、受け付けた処方箋を装置の前から取り出すか後から取り出すかを切り替えられるようにしたことを特徴とする。具体的には、開状態で排紙案内を行う開閉板が前記処方箋取出口に付設されていることを特徴とする（出願当初請求項５）。また（出願当初請求項６）、前記処方箋走査部の取付台が前記筐体の内底に設けられ、前記筐体のうち背面には後方取出口が形成され、前記処方箋走査部から前方へ排出された前記処方箋を反転させてから前記処方箋走査部の下を通過させて前記後方取出口へ移送しうる空間が前記筐体の内底に確保されていることを特徴とする。さらに（出願当初請求項７）、前記処方箋走査部から前方へ排出された前記処方箋を反転させて前記処方箋走査部の下へ向けて案内する排紙反転部材が着脱可能な状態で前記筐体内に設けられていることを特徴とする。また、前記排紙反転部材にて反転させられた前記処方箋を収容する受箱が前記後方取出口から引出可能な状態で前記筐体の内底に格納されていることか（出願当初請求項８）、前記排紙反転部材にて反転させられた前記処方箋を前記後方取出口へ移送する搬送機構が前記筐体に内装されていることを特徴とする（出願当初請求項９）。
【０００９】
また、本発明の処方箋受付装置は（解決手段４）、上記解決手段１〜３の処方箋受付装置であって、前記筐体のうち上部が開閉可能な蓋になっていることを特徴とする（出願当初請求項１０）。
【発明の効果】
【００１０】
このような本発明の処方箋受付装置にあっては（解決手段１）、処方箋走査部とデータ処理部との双方さらには引換券発行ユニットがあればそれも筐体に格納されるので、装置全体が一体的に纏まる。しかも、その際、データ処理部の操作パネルが筐体上部に配されて、格納部材が立体的に配置されるので、コンパクト実装ひいては小形化がなされる。
また、操作パネルや引換券取出口が筐体の上部前方の傾斜部分に配されて、使い易い装置になっている。さらに、用紙を上部後方から受け入れて前方へ排出するプリンタ様の又はプリンタ兼用のスキャナが市販されているところ、筐体における処方箋差込口や処方箋取出口の配置が、処方箋を上部後方から受け入れて前方へ排出する処方箋走査部に適合しているので、処方箋走査部に汎用品を採用することができる。
したがって、この発明によれば、筐体の開口と格納部材の配置とを工夫したことにより一体的かつ小形の処方箋受付装置であって使い易いものを実現することができる。
【００１１】
また、本発明の処方箋受付装置にあっては（解決手段２）、撮像した処方箋には処方箋走査部で調製したデータが印刷されるので、受付済みか否かが一目瞭然となる。さらに、処方箋ごとに異なる受付番号が印刷されるうえ、その印刷データが引換券の印刷にも反映されるので、処方箋と引換券との対応も一目瞭然となる。しかも、それら一連の処理が処方箋走査部への処方箋のセット等を起因として自動遂行されるので、とても使い易い。
【００１２】
また、本発明の処方箋受付装置にあっては（解決手段３）、受け付けた処方箋を装置の前から取り出すか後から取り出すかを切り替えられるようにしたことにより、一体的な処方箋受付装置であっても使用環境への適応性が向上する。しかも、小形化の効果をほとんど減殺しない態様で具体化されている。
【００１３】
さらに、本発明の処方箋受付装置にあっては（解決手段４）、筐体の上部が開閉可能な蓋になったことにより、各部材を筐体に格納する内装作業が容易になる。
【発明を実施するための最良の形態】
【００１４】
このような本発明の処方箋受付装置について、これを実施するための具体的な形態を、以下の実施例１〜４により説明する。
図１〜３に示した実施例１は、上述した解決手段１，２，３，４（出願当初の請求項１〜２，３〜４，５〜８，１０）を具現化したものであり、図４に示した実施例２は、上述した解決手段３の別態様であり、図５に示した実施例３や、図６に示した実施例４は、上述した解決手段２の別態様（出願当初の請求項９）である。
なお、それらの図示に際しては、簡明化等のため、フレームや，ボルト等の締結具，ヒンジ等の連結具，電源ケーブル等の配線などは図示を割愛し、発明の説明に必要なものや関連するものを中心に図示した。また、開口を明示するときは、実体部に散点やハッチング等の模様を付けたうえで、開口部分を白抜きにした。
【実施例１】
【００１５】
本発明の処方箋受付装置の実施例１について、その具体的な構成を、図面を引用して説明する。図１は、（ａ）及び（ｂ）何れも筐体１０の外観斜視図であり、（ａ）が蓋１７を閉めた状態、（ｂ）が蓋１７を開けた状態を示している。また、（ｃ）が筐体１０の内底部分の斜視図、（ｄ）が装置内部の左側面図、（ｅ）が装置内部の正面図である。さらに、図３は、（ａ）が排紙反転部材３０の斜視図、（ｂ）が装置内部の左側面図である。
【００１６】
この処方箋受付装置２０は（図１（ａ）〜（ｅ）参照）、処方箋の撮像を行う処方箋走査部としてのスキャナ付きプリンタ２２と、その画像イメージから処方箋データを得るデータ処理部としての操作パネル一体形コンピュータ２３と、引換券を発行する引換券発行ユニット２４と、スキャナ付きプリンタ２２から前方へ排出された処方箋を反転させてスキャナ付きプリンタ２２の下へ向けて案内する排紙反転部材３０と、排紙反転部材３０にて反転させられた処方箋を収容する受箱２１と、それらの部材を総て格納しうる筐体１０とを具えている。
【００１７】
それらの部材のうちスキャナ付きプリンタ２２と操作パネル一体形コンピュータ２３と引換券発行ユニット２４は、ネジ止めや嵌め込み等により常態では固定状態で筐体１０に内装されるが、受箱２１と排紙反転部材３０の内装は選択的である。すなわち、排紙反転部材３０は、着脱式のものであり、撮像後の処方箋を反転させて後方に排出する反転排出状態では装着されるが、撮像後の処方箋を操作側に排出する操作側排出状態では装着されない。また、受箱２１は、排紙反転部材３０の装着時には装填が必要になるが、排紙反転部材３０の非装着時には装填してもしなくてもよい、というものである。
【００１８】
スキャナ付きプリンタ２２は（図１（ｄ），（ｅ）参照）、上部後方に用紙案内部材２２ａが傾斜して突設され前面のうち下寄りのところに排紙案内部材２２ｂがほぼ水平に突設されていて用紙案内部材２２ａに用紙が乗せられるとそれを本体内の移送路へ送り込みながら用紙に対して印刷と撮像とを行って排紙案内部材２２ｂ上へ排出するものであれば、市販の汎用品で良く、例えばプリントヘッドにＣＣＤイメージセンサを装着したインクジェット方式のシリアルプリンタ等が安価で使いやすい。撮像は、全範囲や一部範囲の画像入力，所定領域や不定箇所の文字読取，バーコードや二次元コード等のコード読取のうち何れか一つ以上またはそれに適う画像データの取得ができれば良い。
【００１９】
印刷は受付番号が印字できれば足りるが、それに加えて受付日時などを印刷するのも良い。その印刷データをスキャナ付きプリンタ２２が操作パネル一体形コンピュータ２３から受け取るようにしてもよいが、処方箋を受け入れるスキャナ付きプリンタ２２が印刷に先立って自ら印刷データを調製する方が制御系の簡素化と信頼性の向上と迅速な動作を期待できるので、スキャナ付きプリンタ２２はそのようになっている。受付番号は、例えば、内蔵のカウンタ（計数器）の値を“１”ずつ進行させることで調製され、複数台の処方箋受付装置が設置されることが予期される場合には、各装置に予め割り振った装置識別番号と上記カウンタ値とを組み合わせる等のことで調製される。スキャナ付きプリンタ２２は、処方箋受入の度に、印刷データの調整と処方箋への印刷を行うとともに、その印刷データを操作パネル一体形コンピュータ２３へ送信するようになっている。
【００２０】
操作パネル一体形コンピュータ２３は（図１（ｄ）参照）、コンピュータの基本部分であるＣＰＵやインターフェイスと、操作パネルとしてのタッチパネルと、表示パネルとしての平面ディスプレイとが、一ユニットに纏められたものであり、各種の汎用品が市販されている。それに従来装置の各プログラムがインストールされて、操作パネル一体形コンピュータ２３は、従来装置のデータ処理部をなすコンピュータ即ち中央処理装置（ＣＰＵ等）とキーボードやマウス等の操作入力部材とディスプレイ等の表示部材と、従来装置の処方箋走査部における操作パネルやローカルコントローラとを、機能統合するとともに物理的に一体化したものとなっている。なお、この操作パネル一体形コンピュータ２３は、受付番号を含む印刷データをスキャナ付きプリンタ２２から受信すると、その印刷データ総て又は少なくとも受付番号を含む一部データを引換券発行ユニット２４へ送信するようになっている。
【００２１】
引換券発行ユニット２４は（図１（ｅ）参照）、処方箋を受け付けた代わりに渡される小紙片である引換券に受付番号を印刷して、その引換券を引換券排出口２４ａから排出するものであり、そのような引換券の発行ができれば従来品でも市販品でも良い。なお、この引換券発行ユニット２４は、受付番号を含む印刷データを操作パネル一体形コンピュータ２３から受信すると、その印刷データ総て又は少なくとも受付番号を含む一部データについては、それをそのまま引換券印刷データに転用したり或いは引換券印刷データに含ませたりして、引換券の印刷に用いるようになっている。
【００２２】
筐体１０は（図１（ａ），（ｂ）参照）、底板１１と前板１２と左側板１３と背板１４と右側板１５とを連結した箱状体であって上部が手前下がりに切り取られた上面解放の本体部１１〜１５と、その上部に設けられて筐体本体部１１〜１５の解放上面を開閉する蓋１７とを具えている。
【００２３】
筐体１０の蓋１７は、後縁部分が背板１４の上辺に対し図示しないヒンジ等を介して取り付けられていて、後側へ揺動して開くようになっている。蓋１７を手前側に揺動させて筐体１０を閉じたとき、蓋１７の上面のうち後方部分はほぼ水平になり、蓋１７の上面のうち前方部分は手前下がりに傾斜するように、蓋１７が形成されている。また、閉状態で水平面となる上部後方部分は差込部１７ａになっており、そこには処方箋を差し込める処方箋差込口１７ｂが貫通形成されている。さらに、閉状態で傾斜面となる上部前方部分は操作部１７ｃになっており、そこには、操作パネル一体形コンピュータ２３を裏から装着して表から視認可能にするためのパネル用開口１７ｅと、引換券を取り出せる引換券取出口１７ｄとが、左右に並んで貫通形成されている。
【００２４】
筐体１０の筐体本体部１１〜１５のうち背板１４には、受箱２１を押し込んだり引き出したりできる後方取出口１４ａが貫通形成され、筐体本体部１１〜１５のうち前板１２には、処方箋を取り出せる処方箋取出口１２ａが貫通形成されるとともに、この処方箋取出口１２ａを開閉する開閉板１６が付設されている。開閉板１６は、例えば水平軸を中心に約９０゜ほど回転しうるよう軸受等にて支持され、開状態か閉状態でロックされ、閉状態では処方箋取出口１２ａを塞ぐが、開状態では処方箋等の用紙を乗せて移送するとその送り状態を円滑にする排紙案内部材を兼ねている。
【００２５】
筐体１０の筐体本体部１１〜１５のうち底板１１の上面には（図１（ｃ）参照）、スキャナ付きプリンタ２２を載置するプリンタ取付台１８と、引換券発行ユニット２４を載置する発券部取付台１９とが、左右に並んで、配設されている。
筐体１０への各部材２２，２３，２４の内装や随伴するケーブル配線などは、蓋１７を開けた状態で容易に行えるようになっており、開状態で（図１（ｂ）参照）、筐体本体部１１〜１５の発券部取付台１９上に引換券発行ユニット２４が固定され、プリンタ取付台１８上にスキャナ付きプリンタ２２が固定され、蓋１７の操作部１７ｃの内面側に操作パネル一体形コンピュータ２３が固定され、さらに筐体１０内の電源配線や信号ケーブル接続が行われる。
【００２６】
そして、蓋１７を閉めると（図１（ｄ），（ｅ）参照）、操作パネル一体形コンピュータ２３のパネルが外部から操作や視認し易い状態で露呈し、筐体１０の内部では、操作パネル一体形コンピュータ２３とスキャナ付きプリンタ２２とが上下になるとともにスキャナ付きプリンタ２２と引換券発行ユニット２４とが左右に並ぶ。また、引換券発行ユニット２４の引換券排出口２４ａが蓋１７の操作部１７ｃの引換券取出口１７ｄの直ぐ内側に位置して、引換券発行ユニット２４が引換券を発行したらその券が引換券取出口１７ｄから取出可能に排出されるような状態になる。
【００２７】
さらに、蓋１７を閉めた筐体１０の内部では、スキャナ付きプリンタ２２の用紙案内部材２２ａの先端が処方箋差込口１７ｂの直ぐ内側に位置し、スキャナ付きプリンタ２２の排紙案内部材２２ｂが処方箋取出口１２ａの内側に位置して、処方箋を処方箋差込口１７ｂから差し込むとその処方箋が用紙案内部材２２ａにてスキャナ付きプリンタ２２に送り込まれるとともに排紙案内部材２２ｂにて処方箋取出口１２ａへ向けて排出される、という状態にもなる。そして、後に詳述するように、開閉板１６が開状態なら、処方箋が開閉板１６に案内されて処方箋取出口１２ａから外へ送り出され、開閉板１６が閉状態であって排紙反転部材３０が装着されていれば、処方箋がスキャナ付きプリンタ２２の下方空間へ反転移送されるものとなる。
【００２８】
プリンタ取付台１８は（図１（ｃ）〜（ｅ）参照）、例えば板金を折り曲げて安価に作られるが、スキャナ付きプリンタ２２を所定高さに固定支持する役目に加えて、スキャナ付きプリンタ２２から前方へ排出され更に排紙反転部材３０にて下向き転向および後方へ反転させられた処方箋を後方取出口１４ａへ移送しうる空間を筐体１０の内底に確保する役目も果たすため、奥行きのある門形に形成され、処方箋や受箱２１を前後に挿通させるようになっている。
受箱２１は（図１（ｄ），（ｅ）参照）、排紙反転部材３０にて反転させられた処方箋を収容するために処方箋より大きな解放上面を持った箱体であり、後方取出口１４ａから筐体１０の内底へ水平に押し込まれると、プリンタ取付台１８の囲う処方箋移送空間に収まって、後方取出口１４ａから引き出せる状態になる。
【００２９】
排紙反転部材３０は（図３（ａ）参照）、処方箋の幅より長い基部３１と、処方箋が進行しながら当接すると処方箋が向きを変えて反転するよう適宜な曲率で湾曲させられた弧部３２とからなる。弧部３２は、同一形状のものが複数個設けられ、一端が所定ピッチで基部３１に連結され、何れも基部３１から同じ方向に延びて曲がり、他端が自由状態になっている。基部３１は、例えば両端に小孔３１ａが貫通形成されていて、ネジ止めやクランプ押え等にて簡便に着脱しうるものとなっている。そして、例えば適宜なスペーサ３３を介したプリンタ取付台１８への取付により（図３（ｂ）参照）、あるいはスキャナ付きプリンタ２２の本体部への取付により（図示せず）、基部３１がスキャナ付きプリンタ２２の排紙部位の上方へ水平に取り付けられると、弧部３２がスキャナ付きプリンタ２２の排紙位置をほぼ半周に亘って囲うようになっている。
【００３０】
この実施例１の処方箋受付装置２０について、操作側排出状態での使用態様及び動作を、図面を引用して説明する。図２は、（ａ）が装置外観の斜視図、（ｂ）及び（ｃ）が装置内部の左側面図、（ｄ）が装置外観の斜視図である。
【００３１】
操作側排出状態で使用するとき、排紙反転部材３０は取り付けず又は取り外し、開閉板１６は開状態にしておく。その状態で、処方箋２５の受付処理を行わせるには、処方箋２５を処方箋差込口１７ｂに差し込む（図２（ａ）参照）。すると、後は自動で、その処方箋２５が排紙案内部材２２ｂで案内されながらスキャナ付きプリンタ２２に送り込まれて撮像される（図２（ｂ）参照）。その画像データは、操作パネル一体形コンピュータ２３に送信され、更に半自動モードでは、確認や追記などのためパネル用開口１７ｅのパネルに画面表示されるので、目視のうえ必要であれば撮り直しやデータ編集などの操作を行ってから、受付完了の指示を入力する。
【００３２】
また、半自動モードであれ全自動モードであれ、スキャナ付きプリンタ２２では処方箋２５の撮像に加えて印刷データの調製等も行われる。具体的には少なくとも受付番号がスキャナ付きプリンタ２２で更新される。そして、その受付番号を含む印刷データが、スキャナ付きプリンタ２２から操作パネル一体形コンピュータ２３へ送信され、更に引換券発行ユニット２４にも送信される。さらに、スキャナ付きプリンタ２２では、処方箋２５に受付番号その他の印刷データが印刷され、その処方箋２５が排紙案内部材２２ｂに案内されながら排出される（図２（ｃ）参照）。スキャナ付きプリンタ２２から排出された処方箋２５は、開閉板１６にも案内されながら処方箋取出口１２ａから外へ出てくる（図２（ｄ）参照）。
【００３３】
また、引換券発行ユニット２４では、受付番号を含む印刷データの受信に応じて、引換券２６に受付番号その他の引換券印刷データが印刷され、その引換券２６が、引換券排出口２４ａから排出され、引換券取出口１７ｄから外へ出てくる（図２（ｄ）参照）。
これで自動処理が終了して、処方箋２５と引換券２６が取出可能な状態になっているので、引換券２６は取り出して処方箋２５の代わりに渡し、処方箋２５は取り出して監査や調剤に供する。
こうして、この処方箋受付装置２０にあっては、受付カウンタ（卓台）等に一体物としてコンパクトに載置されて、薬局を訪れた患者等に負担を強いることなく、処方箋を受け付けるとともに処方箋の電子データ化に寄与することができる。
【００３４】
この実施例１の処方箋受付装置２０について、反転排出状態での使用態様及び動作を、図面を引用して説明する。図３は、（ａ）が排紙反転部材３０の斜視図、（ｂ）〜（ｄ）が何れも装置内部の左側面図である。
【００３５】
処方箋受付装置２０を反転排出状態で使用するときには排紙反転部材３０を用いる（図３（ａ）参照）。その場合、開閉板１６で処方箋取出口１２ａを閉め、そことスキャナ付きプリンタ２２の排紙口との間に排紙反転部材３０を取り付けておく（図３（ｂ）参照）。受箱２１を筐体１０の内底にセットすることも行っておく。その状態で、処方箋２５の受付処理を行わせるには、やはり処方箋２５を処方箋差込口１７ｂに差し込む。すると、後は自動で、操作側排出状態のときと同じく、スキャナ付きプリンタ２２によって処方箋２５が撮像され、その画像データが操作パネル一体形コンピュータ２３に送信され、引換券２６が引換券発行ユニット２４から発行され、処方箋２５が受付番号を印刷されてスキャナ付きプリンタ２２から排出される。
【００３６】
その後は操作側排出状態のときと異なり、反転排出状態では（図３（ｃ）参照）、スキャナ付きプリンタ２２から排出された処方箋２５が、排紙反転部材３０によって反転させられて、スキャナ付きプリンタ２２の下へ送り込まれ、そこで受箱２１に収まる。
これで処方箋２５一枚分の受付処理が終了し、そのような処理が繰り返されると、受箱２１の中に複数枚・多数枚の処方箋２５が溜まるので、受付処理や調剤作業の合間など適宜な時に受箱２１を後方へ引き出して、その中から処方箋２５，２５を纏めて取り出して監査や調剤に供する。
【００３７】
こうして、この場合も、処方箋受付装置２０にあっては、受付カウンタ等に一体物としてコンパクトに載置されて、薬局を訪れた患者等に負担を強いることなく、処方箋を受け付けるとともに処方箋の電子データ化に寄与することができる。
しかも、排紙反転部材３０の着脱等にて簡便に、操作側排出状態と反転排出状態とを切り替えることができるので、薬局で配置や作業手順などを変更したようなときでも、既存の装置を継続使用できることが多い。
【実施例２】
【００３８】
図４に筐体４０の外観斜視図を示した本発明の処方箋受付装置が上述した実施例１の処方箋受付装置１０と相違するのは、蓋１７が前後に分割されて筐体１０が筐体４０になった点である。筐体４０の蓋は、最早一体物でなく、後蓋４１と前蓋４２とに分かれた二体物になっている。
【００３９】
後蓋４１は、処方箋差込口１７ｂの形成された差込部１７ａ相当部分を含んでいて、筐体４０のうち上部後方の部分を成しており、後縁部分が背板１４の上辺に対し図示しないヒンジ等を介して取り付けられていて、後側へ揺動して開くようになっている。
前蓋４２は、パネル用開口１７ｅや引換券取出口１７ｄの形成された操作部１７ｃ相当部分を含んでいて、筐体４０のうち上部前方の傾斜部分を成しており、前縁部分が前板１２の上辺に対し図示しないヒンジ等を介して取り付けられていて、前側へ揺動して開くようになっている。
【００４０】
この場合、パネル用開口１７ｅの揺動中心が前側に来て、パネル用開口１７ｅとその揺動中心とが近くなっているため、前蓋４２を開いたときにもパネル用開口１７ｅが筐体本体部１１〜１５から余り離れないので、前蓋４２に操作パネル一体形コンピュータ２３を取り付けるときに筐体４０の安定が得やすくて、その作業やその他の内装作業が遣りやすい。
【実施例３】
【００４１】
図５に装置内部の左側面図を示した本発明の処方箋受付装置５０が上述した実施例１，２のものと相違するのは、筐体の内底のうちスキャナ付きプリンタ２２の下方空間のところに内装されたものが受箱２１から水平搬送機構５１になった点である。
水平搬送機構５１は（図５（ａ）参照）、例えば図示のようなベルトコンベアや図示しない回転軸列などからなり、排紙反転部材３０の下方から後方取出口１４ａまで水平な直線状に延びている。
【００４２】
この場合、装置の使用態様や動作は、操作側排出状態のときには上述したのと同じであるにのに対し、反転排出状態のときには、大部分が上述したのと同じであるが、スキャナ付きプリンタ２２から排出された処方箋２５の取り出し方が異なる。その点を詳述すると（図５（ｂ）参照）、処方箋２５は、スキャナ付きプリンタ２２から排出された後、排紙反転部材３０によって反転させられて、水平搬送機構５１の上に乗って後方へ移送され、後方取出口１４ａから外へ送り出される。そのまま処方箋２５を一枚ずつ取り出しても良いが、複数・多数の処方箋２５，２５を纏めて取り扱いたいときには、適当な受箱５２を取出口１４ａの後方で斜め下に当たるところ置けば良い。
【実施例４】
【００４３】
図６に装置内部の左側面図を示した本発明の処方箋受付装置６０が上述した実施例３の処方箋受付装置５０と相違するのは、後方取出口１４ａの形成位置が高くなった点と、水平搬送機構５１が水平搬送機構６１と傾斜搬送機構６２との組み合わせになった点と、後方取出口１４ａの直ぐ下の外面に例えばフック状の引掛部６３が突設された点と、開閉板１６が透明な又は半透明な透明板６４になった点である。
【００４４】
この場合、後方取出口１４ａが高くなっているが、反転排出状態のときにスキャナ付きプリンタ２２から排出され排紙反転部材３０によって反転させられた処方箋２５は、先ず水平搬送機構６１の上に乗って後方へ水平移送され、それから傾斜搬送機構６２に乗り移って後方の斜め上へ移送されて、やはり取出口１４ａから外へ送り出される。この場合も、そのまま処方箋２５を一枚ずつ取り出しても良いが、複数・多数の処方箋２５，２５を纏めて取り扱いたいときには、適当な受箱６５を引掛部６３に引っ掛けて外置きすると良い。また、この場合、透明板６４を透かして排紙反転部材３０の弧部３２の間隙から処方箋２５の通過状況を目視できるので、反転不良や紙詰まり等の不具合が操作側からも確認される。
【００４５】
［その他］
上記実施例では、スキャナ付きプリンタ２２や操作パネル一体形コンピュータ２３を左側に置いてその右脇に引換券発行ユニット２４を並べる配置例を図示したが、スキャナ付きプリンタ２２や操作パネル一体形コンピュータ２３を右側に置いてその左脇に引換券発行ユニット２４を並べても良い。
また、筐体の上部を開閉しうる蓋は、筐体のうち上部後方の部分が後側へ揺動して開く後蓋になっており、筐体のうち上部前方の傾斜部分が前側へ揺動して開く前蓋になっていても良い。このように筐体の蓋を前後に分割してそれぞれが揺動して開くようにした場合、内装作業が更に容易になる。
【図面の簡単な説明】
【００４６】
【図１】本発明の実施例１について、処方箋受付装置の構造を示し、（ａ）及び（ｂ）が筐体の外観斜視図、（ｃ）が筐体の内底部分の斜視図、（ｄ）が処方箋受付装置の内部の左側面図、（ｅ）が処方箋受付装置の内部の正面図である。
【図２】操作側排出状態での動作等を示し、（ａ）が装置外観の斜視図、（ｂ）及び（ｃ）が装置内部の左側面図、（ｄ）が装置外観の斜視図である。
【図３】反転排出状態での動作等を示し、（ａ）が排紙反転部材の斜視図、（ｂ）〜（ｄ）が装置内部の左側面図である。
【図４】本発明の実施例２について、処方箋受付装置の構造等を示し、（ａ）及び（ｂ）が筐体の外観斜視図である。
【図５】本発明の実施例３について、（ａ）及び（ｂ）何れも装置内部の左側面図であり、（ａ）が装置構造を示し、（ｂ）が動作状態等を示している。
【図６】本発明の実施例４について、（ａ）及び（ｂ）何れも装置内部の左側面図であり、（ａ）が装置構造を示し、（ｂ）が動作状態等を示している。
【符号の説明】
【００４７】
１０…筐体、１１…底板、１２…前板、１２ａ…処方箋取出口、１３…左側板、
１４…背板、１４ａ…後方取出口、１５…右側板、１６…開閉板、１７…蓋、
１７ａ…差込部、１７ｂ…差込口、１７ｃ…操作部、１７ｄ…引換券取出口、
１７ｅ…パネル用開口、１８…プリンタ取付台、１９…発券部取付台、
２０…処方箋受付装置、２１…受箱、
２２…スキャナ付きプリンタ（処方箋走査部）、２２ａ…用紙案内部材、
２２ｂ…排紙案内部材、２３…操作パネル一体形コンピュータ（データ処理部）、
２４…引換券発行ユニット、２４ａ…引換券排出口、２５…処方箋、２６…引換券、
３０…排紙反転部材、３１…基部、３１ａ…小孔、３２…弧部、３３…スペーサ、
４０…筐体、４１…後蓋（差込部）、４２…前蓋（操作部）、
５０…処方箋受付装置、５１…水平搬送機構、５２…受箱、
６０…処方箋受付装置、６１…水平搬送機構、６２…傾斜搬送機構、
６３…引掛部、６４…透明板、６５…受箱
【図１】
2008033580.tif 000003
【図２】
2008033580.tif 000004
【図３】
2008033580.tif 000005
【図４】
2008033580.tif 000006
【図５】
2008033580.tif 000007
【図６】
2008033580.tif 000008